(57)【要約】【課題】簡単な方法で頭蓋骨を適度に振動させる。【解決手段】頭蓋骨振動装置１に、電気信号を発生する電気信号発生装置４と、電気信号発生装置４からの電気信号を増幅させる増幅器５と、増幅器５から送信される電気信号を機械的な振動に変換する振動発生装置３と、振動発生装置３の振動発生部が直接連結され、かつ人体５０の頭蓋骨５１を所定の距離を空けて覆う金属製の振動部材２と、振動装置を頭蓋骨５１から所定の距離を空けた状態に保つ振動部材支持部（ポール７）とを設ける。そして、振動部材２から発生する振動を空気の振動を介して頭蓋骨５１に伝えるように構成する。【選択図】図２
2020146434.tif 000002
【特許請求の範囲】
【請求項１】
電気信号を発生する電気信号発生装置と、
上記電気信号発生装置からの上記電気信号を増幅させる増幅器と、
上記増幅器から送信される上記電気信号を機械的な振動に変換する振動発生装置と、
上記振動発生装置の振動発生部が直接連結され、かつ人体の頭蓋骨を所定の距離を空けて覆う金属製の振動部材と、
上記振動部材を上記頭蓋骨から所定の距離を空けた状態に保つ振動部材支持部とを備えており、
上記振動部材から発生する振動を空気の振動を介して上記頭蓋骨に伝えるように構成されている
ことを特徴とする頭蓋骨振動装置。
【請求項２】
請求項１に記載の頭蓋骨振動装置において、
上記振動部材は、チタンの半球体状板部材よりなる
ことを特徴とする頭蓋骨振動装置。
【請求項３】
請求項２に記載の頭蓋骨振動装置において、
上記振動部材は、陽極酸化処理を施された結晶化チタンの半球体状板部材よりなる
ことを特徴とする頭蓋骨振動装置。
【請求項４】
請求項１から３のいずれか１つに記載の頭蓋骨振動装置において、
上記振動部材には、吊り下げるための貫通孔が設けられている
ことを特徴とする頭蓋骨振動装置。
【請求項５】
請求項１から４のいずれか１つに記載の頭蓋骨振動装置において、
上記振動発生装置は、上記振動部材に貼り付けられた１つ以上の圧電素子よりなる
ことを特徴とする頭蓋骨振動装置。
【請求項６】
電気信号を発生する電気信号発生装置と、
上記電気信号発生装置からの上記電気信号を増幅させる増幅器と、
上記増幅器から送信される上記電気信号を機械的な振動に変換する振動発生装置と、
上記振動発生装置の振動発生部が直接連結され、かつ人体の頭蓋骨を所定の距離を空けて覆う金属製の振動部材と、
上記振動部材を上記頭蓋骨から所定の距離を空けた状態に保つ振動部材支持部とを備えた頭蓋骨振動装置を天井又は吊り下げ用部材に吊し、
上記振動部材の内部に頭蓋骨を所定の距離保つように立ち、又は座り、
上記電気信号発生装置から電気信号を送信し、上記振動発生装置から上記頭蓋骨を振動させる周波数を含む振動を発生させ、上記頭蓋骨を振動させる
ことを特徴とする頭蓋骨振動装置の使用方法。
【請求項７】
請求項６の頭蓋骨振動装置の使用方法において、
電気信号を発生する電気信号発生装置と、
上記電気信号発生装置からの上記電気信号を増幅させる増幅器と、
上記増幅器から送信される上記電気信号を機械的な振動に変換する振動発生装置と、
上記振動発生装置の振動発生部が直接連結され、かつ人体が接触する座面部及び該座面部に連続する側面部を有する金属製の振動部材と、
上記座面部の裏側に配置され、上記振動発生装置を覆うと共に、載置面に載置されて振動エネルギーを上記載置面に伝達するのを抑制するように上記座面部を該載置面から浮かせた状態に支持する座面支持部材とを備えており、
上記座面部に触れた人体から振動が伝達されるように構成された骨振動体感装置の上に立った状態は又は座った状態で上記振動部材の内部に頭蓋骨を所定の距離保つように立ち、又は座る
ことを特徴とする頭蓋骨振動装置の使用方法。
【請求項８】
請求項６又は７の頭蓋骨振動装置の使用方法において、
上記吊り下げ用部材として、金属製のフレームで構成されたピラミッド形状のものを用意し、
上記吊り下げ用部材に別の上記振動発生装置を配置して上記増幅器に接続し、
上記吊り下げ用部材の振動発生装置も振動させた状態で該吊り下げ用部材の下で立ち又は座る
ことを特徴とする頭蓋骨振動装置の使用方法。
【発明の詳細な説明】
【技術分野】
【０００１】
本発明は、頭蓋骨振動装置及びそれを使用する方法に関する。
【背景技術】
【０００２】
従来、クラニアル（頭蓋骨仙骨療法）という治療方法が知られている。クラニアル（クラニオ）は「頭蓋」という意味で、この治療方法は、頭蓋骨の歪みや緊張を取ったり、固くなっているところを柔らかくしたりするものである。頭蓋骨は、１分間に何回か、例えば５回とか膨らんで、縮んでということを繰り返すことで、全身に脳髄液を送る、呼吸の様な動作（一次呼吸ともいう）をしている。そのときに頭蓋骨がロックされていると、上手く脳髄液が流れない。そのため、クラニアルの治療法によって頭蓋骨を調整して脳髄液を調整し、流れをよくすることで免疫力を上げて、全身を健康にすることが行われている。
【０００３】
さらに、頭蓋骨は背骨に支えられていて、背骨の最も下には仙骨がある。頭蓋骨から仙骨にいたる構造がすべての脊椎動物に共通していて、人間もまた同じである。この脊椎を中心にして全身の神経回路が作られ、また、身体のバランスもこの頭蓋骨、脊髄、仙骨の柱で身体のバランスを取っている。
【０００４】
このため、この部分を整えることで、健康に近づくという考えがある。例えば、ヒーリングでは、チャクラがこれらに対応し、１番から７番までのチャクラが、仙骨から脊椎、頭蓋骨までそれぞれに割り当てられているので、それらを調整することは非常に重要である。
【０００５】
一方、特許文献１のように、上面にバッフル板を有するベッド本体と、バッフル板に設けられるサウンドホールと、バッフル板を挟んでサウンドホールの下側かつベッド本体の内側に設けられるスピーカとを備え、音響療法に必要な音波と振動波を確実に人体へ伝達し、治療効果を高めた音響療法用ベッドが知られている。
【０００６】
さらに、頭蓋骨を振動させ直接鼓膜に振動を伝えることで音として認識させるヘッドホンもある。
【０００７】
一方、特許文献２のように、歯を介して上顎及び下顎に振動を伝え、頬骨や頭蓋骨を振動させ、骨伝導によって直接脳に振動刺激を伝えることができる音叉型治療器が知られている。
【先行技術文献】
【特許文献】
【０００８】
【特許文献１】特開２０１１−１６０８６９号公報
【特許文献２】特許第５５１７０８７号公報
【発明の概要】
【発明が解決しようとする課題】
【０００９】
ところで、クラニアルの治療法では、頭蓋骨を触るときは優しく触り、ほとんど力を入れていないように感じるような圧で頭蓋骨を動かすのが一般的である。
【００１０】
このように、頭蓋骨に直接骨振動を与えるのではなく、間接的な刺激を与えたいというニーズがあるが、従来の振動装置は基本的には直接振動させる構造となっている。背骨などはある程度の刺激が必要な場合が多いからである。
【００１１】
一方、特許文献２のような音叉を用いた治療も考えられるが、一人で行うことも難しく、複数種類の音叉を用意するのも困難である。
【００１２】
また頭蓋骨のうち、蝶形骨は後頭骨の底部の前方にあり、前方は鼻腔に達するものであるが、この部分を緩めて体調を整えたいというニーズもある。
【００１３】
本発明は、かかる点に鑑みてなされたものであり、その目的とするところは、簡単な方法で頭蓋骨を適度に振動させることができるようにすることにある。
【課題を解決するための手段】
【００１４】
上記の目的を達成するために、この発明では、頭蓋骨を所定の距離を空けて覆う振動部材を振動させるようにした。
【００１５】
具体的には、第１の発明では、電気信号を発生する電気信号発生装置と、
上記電気信号発生装置からの上記電気信号を増幅させる増幅器と、
上記増幅器から送信される上記電気信号を機械的な振動に変換する振動発生装置と、
上記振動発生装置の振動発生部が直接連結され、かつ人体の頭蓋骨を所定の距離を空けて覆う金属製の振動部材と、
上記振動部材を上記頭蓋骨から所定の距離を空けた状態に保つ振動部材支持部とを備えており、
上記振動部材から発生する振動を空気の振動を介して上記頭蓋骨に伝えるように構成されている。
【００１６】
上記の構成によると、頭部に振動部材を接触させて頭蓋骨を振動させるのではなく、頭蓋骨を所定の距離を空けて覆う金属製の振動部材を用いて空気の振動を使って頭蓋骨を振動させるので、適度な振動により、効率よく適切に頭蓋骨を振動させることができる。また、電気信号発生装置から頭蓋骨を振動させるのに適した電気信号を選択して送信すればよいだけなので、音叉型治療器のように多くの音叉を用意して選択する必要がない。
【００１７】
第２の発明では、第１の発明において、
上記振動部材は、チタンの半球体状板部材よりなる。
【００１８】
上記の構成によると、チタンは音の内部減衰率が低く、振動によって発生した波動を物質内部で吸収してしまうことなく、他の媒体に伝えやすい。また、半球体状の板で構成することで、頭蓋骨から適度な距離を保つことができる。このため、さらに効率よく適切に頭蓋骨を振動させることができる。ここで、「半球体状」とは、断面円形の完全な半球体だけでなく、ここでは広い意味で断面が長円形や楕円形などのドーム型形状や笠型の形状を含むものとする。
【００１９】
第３の発明では、第２の発明において、
上記振動部材は、陽極酸化処理を施された結晶化チタンの半球体状板部材よりなる。
【００２０】
上記の構成によると、陽極酸化処理（結晶華飾処理）を施されたチタン材は、チタン特有の効果が顕著に発揮され、さらに効率よく適切に頭蓋骨を振動させることができる。
【００２１】
第４の発明では、第１から第３のいずれか１つの発明において、
上記振動部材には、吊り下げるための貫通孔が設けられている。
【００２２】
上記の構成によると、振動部材を吊り下げた状態で用いることで、振動を他の部材に伝えにくくしながら頭蓋骨を効率よく適切に頭蓋骨を振動させることができる。
【００２３】
第５の発明では、第１から第４のいずれか１つの発明において、
上記振動発生装置は、上記振動部材に貼り付けられた１つ以上の圧電素子よりなる。
【００２４】
上記の構成によると、安価で入手しやすく厚さが薄い圧電素子を用いてさらに効率よく適切に頭蓋骨を振動させることができる。なお、圧電素子は、ピエゾ素子ともいい、電圧を力に変換する、逆圧電効果を利用した受動素子であり、ここでは、振動部材に適度な振動を発生させるのに適している。圧電素子の個数や貼付場所は特に限定されない。
【００２５】
第６の発明では、
電気信号を発生する電気信号発生装置と、
上記電気信号発生装置からの上記電気信号を増幅させる増幅器と、
上記増幅器から送信される上記電気信号を機械的な振動に変換する振動発生装置と、
上記振動発生装置の振動発生部が直接連結され、かつ人体の頭蓋骨を所定の距離を空けて覆う金属製の振動部材と、
上記振動部材を上記頭蓋骨から所定の距離を空けた状態に保つ振動部材支持部とを備えた頭蓋骨振動装置を天井又は吊り下げ用部材に吊し、
上記振動部材の内部に頭蓋骨を所定の距離保つように立ち、又は座り、
上記電気信号発生装置から電気信号を送信し、上記振動発生装置から上記頭蓋骨を振動させる周波数を含む振動を発生させ、上記頭蓋骨を振動させる構成とする。
【００２６】
上記の構成によると、音叉治療器のように第三者に音叉を鳴らしてもらうことなく、所定時間一人で、空気の振動を使って頭蓋骨を振動させることができる。このため、簡単な方法で、適度な振動により、効率よく適切に頭蓋骨を振動させることができる。
【００２７】
第７の発明では、第６の発明において、
電気信号を発生する電気信号発生装置と、
上記電気信号発生装置からの上記電気信号を増幅させる増幅器と、
上記増幅器から送信される上記電気信号を機械的な振動に変換する振動発生装置と、
上記振動発生装置の振動発生部が直接連結され、かつ人体が接触する座面部及び該座面部に連続する側面部を有する金属製の振動部材と、
上記座面部の裏側に配置され、上記振動発生装置を覆うと共に、載置面に載置されて振動エネルギーを上記載置面に伝達するのを抑制するように上記座面部を該載置面から浮かせた状態に支持する座面支持部材とを備えており、
上記座面部に触れた人体から振動が伝達されるように構成された骨振動体感装置の上に立った状態は又は座った状態で上記振動部材の内部に頭蓋骨を所定の距離保つように立ち、又は座る構成とする。
【００２８】
上記の構成によると、振動エネルギーが載置面に伝達されるのを抑制するように座面支持部材により載置面から浮かせたフリーの状態で支持された金属製の振動部材の座面部を振動発生装置により振動させ、骨伝導により人体を直接振動させる骨振動体感装置と併用することで、全身の水分や踵の骨又は仙骨から骨盤を通って頭蓋骨まで上下から振動を伝えることができる。このため、さらに適度な振動により効率よく適切に頭蓋骨を振動させることができる。
【００２９】
第８の発明は、第６又は第７の発明において、
上記吊り下げ用部材として、金属製のフレームで構成されたピラミッド形状のものを用意し、
上記吊り下げ用部材に別の上記振動発生装置を配置して上記増幅器に接続し、
上記吊り下げ用部材の振動発生装置も振動させた状態で該吊り下げ用部材の下で立ち又は座る構成とする。
【００３０】
上記の構成によると、ピラミッド形状の金属製のフレームで構成した振動部材支持部に設けた振動発生装置も振動させることで、金属製のフレームが共鳴してさらに効果的に頭蓋骨及び全身を適度に振動させることができる。振動発生装置は、圧電素子でもよいし、バイブロトランスデューサなどでもよい。金属製のフレームへの貼付位置も特に限定されない。
【発明の効果】
【００３１】
以上説明したように、本発明によれば、振動装置を頭蓋骨から所定の距離を空けた状態に保ち、振動部材から発生する振動を空気の振動を介して頭蓋骨に伝えるようにしたことにより、簡単な方法で頭蓋骨を適度に振動させることができる。
【図面の簡単な説明】
【００３２】
【図１】吊した状態の頭蓋骨振動装置を拡大して示す斜視図である。
【図２】座位で頭蓋骨振動装置を使用する様子を示す斜視図である。
【図３】立位で頭蓋骨振動装置を使用する様子を示す斜視図である。
【図４】振動板及び振動発生装置を示す平面図である。
【図５】振動板を示す正面図である。
【図６】実施形態の変形例に係る振動板及び振動発生装置を示す底面図である。
【図７】実施形態の変形例に係る頭蓋骨振動装置の使用状態の一例を示す概要図である。
【発明を実施するための形態】
【００３３】
以下、本発明の実施形態を図面に基づいて説明する。
【００３４】
図１〜図３は、本発明の実施形態に係る頭蓋骨振動装置１を示し、この頭蓋骨振動装置１は、図４及び図５にも示すように、椀（ボウル）をひっくり返したような形状の金属製の振動部材２を備えている。振動部材２は、例えば、結晶華飾処理を施された結晶化チタンの半球体状板よりなる。結晶華飾処理とは、陽極酸化法によりチタンの表面に陽極酸化皮膜の凹凸のある構造が光波を反射し、特定周波数帯のみが強調されて色として見えるものである。チタンは音の内部減衰率が低く、振動によって発生した波動を物質内部で吸収してしまうことなく、他の媒体に伝えやすい。また、半球体状の板で構成することで、頭蓋骨５１から適度な距離を保つことができる。このため、さらに効率よく適切に頭蓋骨５１を振動させることができる。結晶華飾処理されたチタン棒材で音響特性を計測したところ、通常のチタンに比べてさらに音響特性がよくなることがわかっている。例えば、この振動部材２は、一般的な成人男性の頭蓋骨５１全体を所定距離（頭蓋骨５１の大きさによって異なる）の空間を空けて覆えるように半径ｒ＝２２５ｍｍの半球状の板材で構成され、板厚は例えば１ｍｍである。振動部材２の寸法はこれに限定されず、チタン以外の金属薄板で構成してもよい。
【００３５】
振動部材２の頂部には、例えば、３つの貫通孔２ａが形成されている。この貫通孔２ａは、振動部材２を吊り下げるために用いられる。この貫通孔２ａには、振動を伝えにくい紐６等が用いられ、図１に示すように、振動部材２を頭蓋骨５１から所定の距離を空けた状態に保つ振動部材支持部としての、水平に延びるポール７や天井８に設けた吊りフック９などに引っ掛けられるようになっている。
【００３６】
振動部材２の頂部には、例えば、１つの振動発生装置３が固定されている。この振動発生装置３は、例えば、２０〜１５，０００Ｈｚの周波数帯域を再生可能な高性能バイブロトランスデューサよりなる。振動発生装置３は、振動部材２の頂部に、その底面の振動発生部（図示せず）が接着剤等により直接連結され、後述する増幅器５から送信される電気信号を機械的な振動に変換することができる。
【００３７】
頭蓋骨振動装置１は、電気信号を発生する電気信号発生装置４を備え、この電気信号発生装置４は、例えば言語周波数をもとにした疎密波よりなる特定低周波数を発信可能な特定振動数発生装置、ＣＤプレーヤー、スマートフォン等特に限定されない。
【００３８】
また、頭蓋骨振動装置１は、電気信号発生装置４からの電気信号を増幅させる増幅器５を備えている。増幅器５自体が例えばＳＤカードを再生可能なプレーヤーよりなる電気信号発生装置４を内蔵していてもよい。
【００３９】
これにより、振動部材２から発生する振動を空気の振動を介して頭蓋骨５１に伝えるように構成されている。
【００４０】
次に、本実施形態に係る頭蓋骨振動装置１の使用方法について説明する。
【００４１】
まず、上述した電気信号発生装置４、増幅器５、振動発生装置３等を図示しない電源に接続する。また、同時に骨振動体感装置１０１を使用する場合には、この骨振動体感装置１０１にも電源をつなぐ。
【００４２】
詳しい説明は省略するが、この骨振動体感装置１０１は、例えば、上記と同様の振動発生装置（図示せず）の振動発生部が直接連結され、かつ人体５０が接触する座面部１０２ａ及びこの座面部１０２ａに連続する側面部１０２ｂを有する金属製（例えばチタン製薄板）の振動部材１０２と、この座面部１０２ａの裏側に配置され、振動発生装置を覆うと共に、載置面に載置されて振動エネルギーを載置面に伝達するのを抑制するように座面部１０２ａを載置面から浮かせた状態に支持する座面支持部材１０４とを備えている。この骨振動体感装置１０１によると、座面支持部材１０４により載置面１０３から浮かせたフリーの状態で支持された振動部材１０２の座面部１０２ａを振動発生装置により振動させ、骨伝導により人体を直接振動させることにより、特定周波数を人体にできるだけ正確に伝達することができるようになっている。
【００４３】
そして、骨振動体感装置１０１の上に図２のように正座したり、あぐらをかいたりして座る。その状態で振動部材２の内部に頭蓋骨５１を所定の距離保つようにポール７に貫通孔２ａに等した紐６を結ぶ。人体５０に合わせて紐６の長さを調整する。振動発生装置３の電線３ａは適度にポール７に巻き付けた後、増幅器５につなぐ。増幅器５には、電気信号発生装置４をつないでもよいし、ＳＤカードを増幅器５に内蔵されたプレーヤーに挿入してもよい。
【００４４】
そして、骨振動体感装置１０１に座った状態で、増幅器５から電気信号を送り、振動発生装置３を振動させる。
【００４５】
電気信号は、特に限定されないが、例えば、頭頂骨や後頭骨を共振（共鳴）させやすい４０００Ｈｚ、８０００Ｈｚ等を含む振動数を発生させる電気信号が選択される。また、例えば６〜５０Ｈｚの疎密波よりなる特定低周波数を発生させる電気信号を含む電気信号を発信させてもよい。
【００４６】
同様に、図３に示すように、立った状態で頭蓋骨振動装置１を使用してもよい。例えば、紐６を天井８に設けた吊りフック９にかけて吊し、振動発生装置３の電線３ａを天井に適度な間隔で設けた留め具８ａに止め、増幅器５に接続する。この場合も人体５０の身長に合わせて紐６の長さを調整する。
【００４７】
そして、電気信号発生装置４から電気信号を送信し、振動発生装置３から頭蓋骨５１を振動させる周波数を含む振動を発生させ、頭蓋骨５１を振動させる。
【００４８】
このようにすれば、頭部に振動部材２を接触させて頭蓋骨５１を振動させるのではなく、空気の振動を使って頭蓋骨５１を振動させるので、適度な振動により、効率よく適切に頭蓋骨５１を振動させることができる。
【００４９】
また、音叉治療器のように第三者に音叉を鳴らしてもらうことなく、所定時間一人で、空気の振動を使って簡単な方法で、頭蓋骨５１を振動させることができる。
【００５０】
また、振動部材２を結晶華飾処理を施された結晶化チタンの半球体状板で構成したので、チタン特有の効果が顕著に発揮され、さらに効率よく適切に頭蓋骨５１を振動させることができる。
【００５１】
また、振動部材２を紐６などの振動の伝わりにくい材料を介してポール７や天井８に吊り下げることで、振動を他の部材に伝わりにくくしながら効率よく適切に頭蓋骨５１を振動させることができる。
【００５２】
さらに、振動エネルギーが載置面に伝達されるのを抑制するように座面支持部材１０４により載置面１０３から浮かせたフリーの状態で支持された金属製の振動部材１０２の座面部１０２ａを振動発生装置３により振動させ、骨伝導により人体５０を直接振動させる骨振動体感装置１０１と併用することで、全身の水分や踵の骨又は仙骨から骨盤を通って頭蓋骨５１まで上下から振動を伝えることで、さらに適度な振動により効率よく適切に頭蓋骨５１を振動させることができる。そして、下側からはある程度の強度の振動を加え、頭蓋骨からは適度な振動を加えると行った使い方も可能である。
【００５３】
そして、仙骨と蝶形骨を同時に振動させて蝶形骨を正しい位置に収めたり緩ませたりすることで身体全体が最適な状態に戻る効果もある。仙骨と蝶形骨が背骨を介して互いの振動を伝え合っているという考えに基づけば、上下から振動を加えることで、様々な効果が発揮される。
【００５４】
したがって、本実施形態に係る頭蓋骨振動装置１によると、簡単な方法で頭蓋骨５１を適度に振動させることができる。
【００５５】
そして、頭蓋骨５１を適度に振動させることにより、クラニアルの治療法と同様の効果が得られ、頭蓋骨を調整して脳髄液を調整し、流れをよくすることで免疫力を上げて、全身を健康にすることができる。
【００５６】
−変形例−
図６及び図７は本発明の実施形態の変形例に係る頭蓋骨振動装置２０１を示し、振動発生装置２０３が異なる点で上記実施形態と異なる。なお、本変形例では、図１から図５と同じ部分については同じ符号を付してその詳細な説明は省略する。
【００５７】
本変形例の頭蓋骨振動装置２０１は、振動発生装置２０３として圧電素子を使用している。圧電素子であれば、厚さが薄くて設置スペースが小さくてすみ、安価で入手しやすいというメリットがある。
【００５８】
図６は、振動部材２０２の内面に振動発生装置２０３を貼り付けた１つの例を示す。貼付位置や貼付個数はこれに限定されず、外面に貼り付けてもよい。
【００５９】
図７に示すように、本変形例の振動部材２０２は、半球状と言うよりも丸い笠状に近い。このような形状であれば、加工が難しいチタンなどの金属であっても成形が容易である。
【００６０】
上記実施形態では、振動部材支持部としてのポール７や天井８を用いて振動部材２を吊しているが、例えば、金属製フレームとしての８本のパイプ状のチタンフレーム２０７ａで構成した振動部材支持部としてのピラミッドフレーム２０７を用いれば、チタンフレーム２０７ａが共鳴してさらに効果的に頭蓋骨５１及び全身を適度に振動させることができる。
【００６１】
例えば、このチタンフレーム２０７ａの中央に圧電素子よりなる振動発生装置２０３を設けてもよい。これにより、ピラミッドフレーム２０７を振動させ、全体で共鳴させるようにしてもよい。振動発生装置２０３のピラミッドフレーム２０７における貼付場所は特に限定されない。また、図７に示すように骨振動体感装置１０１の上で座禅を組んだり、寝転がったりしてもよい。このように全身を適度に振動させることで、メディテーション効果がさらに発揮される。
【００６２】
（その他の実施形態）
本発明は、上記実施形態について、以下のような構成としてもよい。
【００６３】
すなわち、上記実施形態では、振動部材２は、半球体としているが、製造の制約などから完全な半球体球体だけでなく、断面が長円形や楕円形などのドーム型形状を含むものとする。また、上記変形例のような笠型などでもよく、要は頭蓋骨を所定の距離を空けて覆うことができれば、その形状は特に限定されない。
【００６４】
なお、以上の実施形態は、本質的に好ましい例示であって、本発明、その適用物や用途の範囲を制限することを意図するものではない。
【符号の説明】
【００６５】
１      頭蓋骨振動装置
２      振動部材
２ａ    貫通孔
３      振動発生装置
３ａ    電線
４      電気信号発生装置
５      増幅器
６      紐
７      ポール（振動部材支持部）
８      天井
８ａ    留め具
９      吊りフック
５０      人体
５１      頭蓋骨
１０１      骨振動体感装置
１０２      振動部材
１０２ａ    座面部
１０２ｂ    側面部
１０３      載置面
１０４      座面支持部材
２０１      頭蓋骨振動装置 
２０２      振動部材 
２０３      振動発生装置 
２０７      ピラミッドフレーム（振動部材支持部） 
２０７ａ    チタンフレーム
【図１】
2020146434.tif 000003
【図２】
2020146434.tif 000004
【図３】
2020146434.tif 000005
【図４】
2020146434.tif 000006
【図５】
2020146434.tif 000007
【図６】
2020146434.tif 000008
【図７】
2020146434.tif 000009
【手続補正書】
【提出日】令和1年12月23日(2019.12.23)
【手続補正１】
【補正対象書類名】特許請求の範囲
【補正対象項目名】全文
【補正方法】変更
【補正の内容】
【特許請求の範囲】
【請求項１】
電気信号を発生する電気信号発生装置と、
上記電気信号発生装置からの上記電気信号を増幅させる増幅器と、
上記増幅器から送信される上記電気信号を機械的な振動に変換する振動発生装置と、
上記振動発生装置の振動発生部が直接連結され、かつ人体の頭蓋骨を所定の距離を空けて覆う金属製の振動部材と、
上記振動部材を上記人体に直接及び間接に接触させない状態で吊し、上記頭蓋骨から所定の距離を空けた状態に保つ振動部材支持部とを備えており、
上記振動部材から発生する振動を空気の振動を介して上記頭蓋骨に伝えるように構成されている
ことを特徴とする頭蓋骨振動装置。
【請求項２】
請求項１に記載の頭蓋骨振動装置において、
上記振動部材は、チタンの半球体状板部材よりなる
ことを特徴とする頭蓋骨振動装置。
【請求項３】
請求項２に記載の頭蓋骨振動装置において、
上記振動部材は、陽極酸化処理を施された結晶化チタンの半球体状板部材よりなる
ことを特徴とする頭蓋骨振動装置。
【請求項４】
請求項１から３のいずれか１つに記載の頭蓋骨振動装置において、
上記振動部材には、吊り下げるための貫通孔が設けられている
ことを特徴とする頭蓋骨振動装置。
【請求項５】
請求項１から４のいずれか１つに記載の頭蓋骨振動装置において、
上記振動発生装置は、上記振動部材に貼り付けられた１つ以上の圧電素子よりなる
ことを特徴とする頭蓋骨振動装置。
【請求項６】
電気信号を発生する電気信号発生装置と、
上記電気信号発生装置からの上記電気信号を増幅させる増幅器と、
上記増幅器から送信される上記電気信号を機械的な振動に変換する振動発生装置と、
上記振動発生装置の振動発生部が直接連結され、かつ人体の頭蓋骨を所定の距離を空けて覆う金属製の振動部材と、
上記振動部材を上記人体に直接及び間接に接触させない状態で上記頭蓋骨から所定の距離を空けた状態に保つ振動部材支持部とを備えた頭蓋骨振動装置を天井又は吊り下げ用部材に吊し、
上記振動部材の内部に頭蓋骨を所定の距離保つように立ち、又は座り、
上記電気信号発生装置から電気信号を送信し、上記振動発生装置から上記頭蓋骨を振動させる周波数を含む振動を発生させ、上記頭蓋骨を振動させる
ことを特徴とする頭蓋骨振動装置の使用方法。
【請求項７】
請求項６の頭蓋骨振動装置の使用方法において、
電気信号を発生する座面用電気信号発生装置と、
上記電気信号発生装置からの上記電気信号を増幅させる座面用増幅器と、
上記座面用増幅器から送信される上記電気信号を機械的な振動に変換する座面用振動発生装置と、
上記座面用振動発生装置の振動発生部が直接連結され、かつ人体が接触する座面部及び該座面部に連続する側面部を有する金属製の座面用振動部材と、
上記座面部の裏側に配置され、上記座面用振動発生装置を覆うと共に、載置面に載置されて振動エネルギーを上記載置面に伝達するのを抑制するように上記座面部を該載置面から浮かせた状態に支持する座面支持部材とを備えており、
上記座面部に触れた人体から振動が伝達されるように構成された骨振動体感装置の上に立った状態は又は座った状態で上記座面用振動部材の内部に頭蓋骨を所定の距離保つように立ち、又は座る
ことを特徴とする頭蓋骨振動装置の使用方法。
【請求項８】
請求項６又は７の頭蓋骨振動装置の使用方法において、
上記吊り下げ用部材として、金属製のフレームで構成されたピラミッド形状のものを用意し、
上記吊り下げ用部材に別の上記振動発生装置を配置して上記増幅器に接続し、
上記吊り下げ用部材の振動発生装置も振動させた状態で該吊り下げ用部材の下で立ち又は座る
ことを特徴とする頭蓋骨振動装置の使用方法。
【手続補正書】
【提出日】令和2年6月12日(2020.6.12)
【手続補正１】
【補正対象書類名】特許請求の範囲
【補正対象項目名】全文
【補正方法】変更
【補正の内容】
【特許請求の範囲】
【請求項１】
電気信号を発生する電気信号発生装置と、
上記電気信号発生装置からの上記電気信号を増幅させる増幅器と、
上記増幅器から送信される上記電気信号を機械的な振動に変換する振動発生装置と、
上記振動発生装置の振動発生部が直接連結され、かつ人体の頭蓋骨を上方から所定の距離を空けて覆う半球状、笠型又はドーム形状の金属製の振動部材と、
上記振動部材を上記人体に直接及び間接に接触させない状態で吊し、上記頭蓋骨から所定の距離を空けた状態に保つ振動部材支持部とを備えており、
上記振動部材から発生する振動を空気の振動を介して上記頭蓋骨に伝えるように構成されている
ことを特徴とする頭蓋骨振動装置。
【請求項２】
請求項１に記載の頭蓋骨振動装置において、
上記振動部材は、チタンの半球体状板部材よりなる
ことを特徴とする頭蓋骨振動装置。
【請求項３】
請求項２に記載の頭蓋骨振動装置において、
上記振動部材は、陽極酸化処理を施された結晶化チタンの半球体状板部材よりなる
ことを特徴とする頭蓋骨振動装置。
【請求項４】
請求項１から３のいずれか１つに記載の頭蓋骨振動装置において、
上記振動部材には、吊り下げるための貫通孔が設けられている
ことを特徴とする頭蓋骨振動装置。
【請求項５】
請求項１から４のいずれか１つに記載の頭蓋骨振動装置において、
上記振動発生装置は、上記振動部材に貼り付けられた１つ以上の圧電素子よりなる
ことを特徴とする頭蓋骨振動装置。
【請求項６】
電気信号を発生する電気信号発生装置と、
上記電気信号発生装置からの上記電気信号を増幅させる増幅器と、
上記増幅器から送信される上記電気信号を機械的な振動に変換する振動発生装置と、
上記振動発生装置の振動発生部が直接連結され、かつ人体の頭蓋骨を上方から所定の距離を空けて覆う半球状、笠状又はドーム形状の金属製の振動部材と、
上記振動部材を上記人体に直接及び間接に接触させない状態で上記頭蓋骨から所定の距離を空けた状態に保つ振動部材支持部とを備えた頭蓋骨振動装置を天井又は吊り下げ用部材に吊し、
上記振動部材の内部に頭蓋骨を所定の距離保つように立ち、又は座り、
上記電気信号発生装置から電気信号を送信し、上記振動発生装置から上記頭蓋骨を振動させる周波数を含む振動を発生させ、上記頭蓋骨を振動させる
ことを特徴とする頭蓋骨振動装置の使用方法。
【請求項７】
請求項６の頭蓋骨振動装置の使用方法において、
電気信号を発生する座面用電気信号発生装置と、
上記電気信号発生装置からの上記電気信号を増幅させる座面用増幅器と、
上記座面用増幅器から送信される上記電気信号を機械的な振動に変換する座面用振動発生装置と、
上記座面用振動発生装置の振動発生部が直接連結され、かつ人体が接触する座面部及び該座面部に連続する側面部を有する金属製の座面用振動部材と、
上記座面部の裏側に配置され、上記座面用振動発生装置を覆うと共に、載置面に載置されて振動エネルギーを上記載置面に伝達するのを抑制するように上記座面部を該載置面から浮かせた状態に支持する座面支持部材とを備えており、
上記座面部に触れた人体から振動が伝達されるように構成された骨振動体感装置の上に立った状態は又は座った状態で上記座面用振動部材の内部に頭蓋骨を所定の距離保つように立ち、又は座る
ことを特徴とする頭蓋骨振動装置の使用方法。
【請求項８】
電気信号を発生する電気信号発生装置と、
上記電気信号発生装置からの上記電気信号を増幅させる増幅器と、
上記増幅器から送信される上記電気信号を機械的な振動に変換する振動発生装置と、
上記振動発生装置の振動発生部が直接連結され、かつ人体の頭蓋骨を所定の距離を空けて覆う金属製の振動部材と、
上記振動部材を上記人体に直接及び間接に接触させない状態で上記頭蓋骨から所定の距離を空けた状態に保つ振動部材支持部とを備えた頭蓋骨振動装置を天井又は吊り下げ用部材に吊し、
上記振動部材の内部に頭蓋骨を所定の距離保つように立ち、又は座り、
上記電気信号発生装置から電気信号を送信し、上記振動発生装置から上記頭蓋骨を振動させる周波数を含む振動を発生させ、上記頭蓋骨を振動させるように構成されており、
上記吊り下げ用部材として、金属製のフレームで構成されたピラミッド形状のものを用意し、
上記吊り下げ用部材に別の上記振動発生装置を配置して上記増幅器に接続し、
上記吊り下げ用部材の振動発生装置も振動させた状態で該吊り下げ用部材の下で立ち又は座る
ことを特徴とする頭蓋骨振動装置の使用方法。